(57)【要約】 【課題】  再印刷において部数指定が可能となる構成を、コスト高騰を伴うことなく実現する。【解決手段】  プリンタ３０は、被記録媒体に画像を印刷する印刷部７１と、ユーザによる操作が可能な操作ボタン２０と、ＬＥＤ２１ａ〜２１ｂとを備えた構成をなし、再印刷可能に構成されている。予め定められた再印刷条件が成立した場合には、プリンタ３０は、被記録媒体の再印刷が可能となる再印刷モードに設定され、この再印刷モードに設定された状態で、操作ボタン２０が一定期間以上長押しされた場合、ＬＥＤ２１ａ〜２１ｂが、その長押し期間に応じた回数点滅する。そして、点滅回数と対応した枚数の再印刷がなされることとなる。【選択図】  図６
2006035649.tif 000002
【特許請求の範囲】
【請求項１】
被記録媒体に画像を印刷する印刷部と、
ユーザによる操作が可能な操作キーと、
表示ランプと、
を備えた画像形成装置において、
予め定められた再印刷条件が成立した場合に、当該画像形成装置を、前記被記録媒体の再印刷が可能となる再印刷モードに設定する再印刷モード設定手段と、
前記再印刷モードに設定された状態で、前記操作キーが一定期間以上長押しされた場合、前記表示ランプを、その長押し期間に応じた回数点滅させる点滅動作手段と、
再印刷する部数を、前記長押し期間に基づいて設定し得る部数設定手段と、
前記部数設定手段にて設定された部数の再印刷を前記印刷部に行わせる再印刷実行手段と、
を備えたことを特徴とする画像形成装置。
【請求項２】
前記再印刷モード設定手段は、再印刷用の印刷データが記憶手段に記憶されている待機状態において、前記操作キーに対しモード設定用の押下動作がなされた場合に当該画像形成装置を前記再印刷モードに設定し、
前記操作キーに対する前記モード設定用の押下動作と連続して前記操作キーが一定期間以上長押しされた場合、前記点滅動作手段は、前記表示ランプの点滅動作を開始し、
前記部数設定手段は、前記モード設定用の押下動作と連続する前記長押し期間に基づいて再印刷する部数を設定することを特徴とする請求項１に記載の画像形成装置。
【請求項３】
前記表示ランプは複数設けられており、
前記再印刷モード設定手段によって前記再印刷モードに設定される際に、複数の前記表示ランプが、前記再印刷モードへの移行を示す特定の表示態様とされることを特徴とする請求項１又は請求項２のいずれかに記載の画像形成装置。
【請求項４】
複数の前記表示ランプが、前記再印刷モードへの移行を示す特定の表示態様とされた後、さらに前記操作キーが一定期間以上長押しされた場合、前記点滅動作手段は、複数の前記表示ランプのうちのいずれかの第１表示ランプを前記長押し期間に応じた回数点滅させ、他方、前記第１表示ランプ以外の他の表示ランプは消滅させることを特徴とする請求項３に記載の画像形成装置。
【請求項５】
前記点滅動作手段は、再印刷される設定部数が９部数を超えた場合、前記第１表示ランプとは異なる第２表示ランプを点灯させることを特徴とする請求項４に記載の画像形成装置。
【請求項６】
前記点滅動作手段は、前記第２表示ランプが点灯し、さらに、再印刷される設定部数が９部数を超えて加算された場合、前記第１表示ランプ及び第２表示ランプとは異なる第３表示ランプを点灯させることを特徴とする請求項５に記載の画像形成装置。
【請求項７】
前記操作キーの長押し操作が解除された後、さらに前記操作キーに対し所定のキャンセル用操作が行われた場合に、再印刷をキャンセルするキャンセル手段を備えたことを特徴とする請求項１ないし請求項６のいずれかに記載の画像形成装置。
【請求項８】
前記部数設定手段による再印刷部数の設定後に、前記操作キーに対し所定の切替操作が行われた場合、再印刷の方式を、ソート方式及びスタック方式のうちの前記切替操作に対応した方式に設定する再印刷方式設定手段を備えたことを特徴とする請求項１ないし請求項７のいずれかに記載の画像形成装置。
【請求項９】
前記再印刷モードに設定された状態で、前記操作キーが所定の短時間押下された場合にカウントアップするように、前記操作キーの押下回数をカウントするカウント手段を有し、
前記部数設定手段は、前記長押し期間及び前記カウント手段によってカウントされた押下回数の少なくともいずれかに基づいて、再印刷する部数を設定することを特徴とする請求項１ないし請求項８のいずれかに記載の画像形成装置。
【請求項１０】
被記録媒体に画像を印刷する印刷部と、
ユーザによる操作が可能な操作キーと、
表示ランプと、
を備えた画像形成装置において、
予め定められた再印刷条件が成立した場合に、前記被記録媒体の再印刷が可能となる再印刷モードに設定する再印刷モード設定手段と、
前記再印刷モードに設定された状態において、前記操作キーの押下回数をカウントするカウント手段と、
前記カウント手段によりカウントされた前記押下回数に基づき、再印刷する部数を設定する部数設定手段と、
前記部数設定手段にて設定された部数の再印刷を前記印刷部に行わせる再印刷実行手段と、
を備えたことを特徴とする画像形成装置。
【発明の詳細な説明】
【技術分野】
【０００１】
本発明は、画像形成装置に関する。
【背景技術】
【０００２】
従来の画像形成装置では、特許文献１に示すように、一度印刷が終了したデータを所定の再印刷要求によって再び印刷できるような構成が提供されている。この特許文献１の構成では、プリンタ装置に設けられた操作盤においてユーザが指示を行うことにより、その指示に応じた再印刷がなされるようになっている。具体的な設定方法としては、スイッチを利用したメニュー機能により用紙サイズの選択や枚数の設定を行う方法が開示されている。
【特許文献１】特開平５−２０１０７５号公報
【発明の開示】
【発明が解決しようとする課題】
【０００３】
ところで、再印刷を行う際には、枚数を自由に選択できることが望ましいが、特許文献１の構成では、メニュー機能によってこのよう枚数選択を可能としている。このメニュー機能は、例えば、文字や図柄などが表示可能なＬＣＤ等の表示装置と、操作キーとを用いて実現することが考えられる。しかしながら、枚数選択可能な再印刷を実現する上で、ＬＣＤ等の表示装置を用いるようにすると、コスト高騰が避けられず、構成が複雑化してしまう。
【０００４】
本発明は上記のような事情に基づいてなされたものであって、再印刷において部数指定が可能な構成をコスト高騰を伴わずに簡易に実現し得ることを目的とする。
【課題を解決するための手段】
【０００５】
上記の目的を達成するための手段として、請求項１の発明は、被記録媒体に画像を印刷する印刷部と、ユーザによる操作が可能な操作キーと、表示ランプと、を備えた画像形成装置において、予め定められた再印刷条件が成立した場合に、当該画像形成装置を、前記被記録媒体の再印刷が可能となる再印刷モードに設定する再印刷モード設定手段と、前記再印刷モードに設定された状態で、前記操作キーが一定期間以上長押しされた場合、前記表示ランプを、その長押し期間に応じた回数点滅させる点滅動作手段と、再印刷する部数を、前記長押し期間に基づいて設定し得る部数設定手段と、前記部数設定手段にて設定された部数の再印刷を前記印刷部に行わせる再印刷実行手段と、を備えたことを特徴とする。
【０００６】
請求項２の発明は、請求項１に記載の画像形成装置において、前記再印刷モード設定手段は、再印刷用の印刷データが記憶手段に記憶されている待機状態において、前記操作キーに対しモード設定用の押下動作がなされた場合に当該画像形成装置を前記再印刷モードに設定し、前記操作キーに対する前記モード設定用の押下動作と連続して前記操作キーが一定期間以上長押しされた場合、前記点滅動作手段は、前記表示ランプの点滅動作を開始し、前記部数設定手段は、前記モード設定用の押下動作と連続する前記長押し期間に基づいて再印刷する部数を設定することを特徴とする。
【０００７】
請求項３の発明は、請求項１又は請求項２に記載の画像形成装置において、前記表示ランプは複数設けられており、前記再印刷モード設定手段によって前記再印刷モードに設定される際に、複数の前記表示ランプが、前記再印刷モードへの移行を示す特定の表示態様とされることを特徴とする。
【０００８】
請求項４の発明は、請求項３に記載の画像形成装置において、複数の前記表示ランプが、前記再印刷モードへの移行を示す特定の表示態様とされた後、さらに前記操作キーが一定期間以上長押しされた場合、前記点滅動作手段は、複数の前記表示ランプのうちのいずれかの第１表示ランプを前記長押し期間に応じた回数点滅させ、他方、前記第１表示ランプ以外の他の表示ランプは消滅させることを特徴とする。
【０００９】
請求項５の発明は、請求項４に記載の画像形成装置において、前記点滅動作手段は、再印刷される設定部数が９部数を超えた場合、前記第１表示ランプとは異なる第２表示ランプを点灯させることを特徴とする。
【００１０】
請求項６の発明は、請求項５に記載の画像形成装置において、前記点滅動作手段は、前記第２表示ランプが点灯し、さらに、再印刷される設定部数が９部数を超えて加算された場合、前記第１表示ランプ及び第２表示ランプとは異なる第３表示ランプを点灯させることを特徴とする。
【００１１】
請求項７の発明は、請求項１ないし請求項６のいずれかに記載の画像形成装置において、前記操作キーの長押し操作が解除された後、さらに前記操作キーに対し所定のキャンセル用操作が行われた場合に、再印刷をキャンセルするキャンセル手段を備えたことを特徴とする。
【００１２】
請求項８の発明は、請求項１ないし請求項７のいずれかに記載の画像形成装置において、前記部数設定手段による再印刷部数の設定後に、前記操作キーに対し所定の切替操作が行われた場合、再印刷の方式を、ソート方式及びスタック方式のうちの前記切替操作に対応した方式に設定する再印刷方式設定手段を備えたことを特徴とする。
【００１３】
請求項９の発明は、請求項１ないし請求項８のいずれかに記載の画像形成装置において、前記再印刷モードに設定された状態で、前記操作キーが所定の短時間押下された場合にカウントアップするように、前記操作キーの押下回数をカウントするカウント手段を有し、前記部数設定手段は、前記長押し期間及び前記カウント手段によってカウントされた押下回数の少なくともいずれかに基づいて、再印刷する部数を設定することを特徴とする。
【００１４】
請求項１０の発明は、被記録媒体に画像を印刷する印刷部と、ユーザによる操作が可能な操作キーと、表示ランプと、を備えた画像形成装置において、予め定められた再印刷条件が成立した場合に、前記被記録媒体の再印刷が可能となる再印刷モードに設定する再印刷モード設定手段と、前記再印刷モードに設定された状態において、前記操作キーの押下回数をカウントするカウント手段と、前記カウント手段によりカウントされた前記押下回数に基づき、再印刷する部数を設定する部数設定手段と、前記部数設定手段にて設定された部数の再印刷を前記印刷部に行わせる再印刷実行手段と、を備えたことを特徴とする。
【発明の効果】
【００１５】
＜請求項１の発明＞
請求項１の構成によれば、液晶パネル等の文字表示可能な特別な表示装置を用いることなく、ユーザが再印刷部数を把握及び指定できることとなるため、コスト高騰を招くことなく再印刷を行う上での有用な機能を実現できる構成となる。また、長押し期間に応じた部数指定が可能とされているため、部数設定を行う際に頻繁に操作キーを押下する必要がなく操作が行いやすい構成となる。
【００１６】
＜請求項２の発明＞
請求項２の構成によれば、再印刷モードに設定するモード設定用の押下動作と、部数設定用の押下動作とを連続して行うことができるため、待機状態から再印刷の部数指定への移行を簡単な操作で行うことができ、より一層操作し易い構成となる。
【００１７】
＜請求項３の発明＞
請求項３の構成によれば、再印刷モードに設定される際に、複数の前記表示ランプが再印刷モードへの移行を示す特定の表示態様とされるため、ユーザは再印刷モードに移行したことを容易にかつ確実に把握できることとなる。
【００１８】
＜請求項４の発明＞
請求項４の構成によれば、特定の表示態様、及び第１表示ランプの点滅によって、再印刷モードに設定された状態、及び再印刷される部数を共にユーザーが把握しやすい好適な構成となる。
【００１９】
＜請求項５の発明＞
請求項５の構成によれば、１０部数以上の部数設定を行う際にユーザが部数を把握しやすい構成を簡易に実現できる。
【００２０】
＜請求項６の発明＞
請求項６の構成によれば、２０部数以上の部数設定を行う際にユーザが部数を把握しやすい構成を簡易に実現できる。
【００２１】
＜請求項７の発明＞
請求項７の構成によれば、誤操作等のキャンセルが望ましい場合に容易に対応できる構成を簡易に実現できる。
【００２２】
＜請求項８の発明＞
請求項８の構成によれば、再印刷の方式をユーザが操作キーの操作によって所望の方式に設定できる構成を簡易に実現できる。
【００２３】
＜請求項９の発明＞
請求項９の構成によれば、操作キーの長押し期間のみならず、長押し期間及び押下回数のいずれかによって再印刷部数を指定できるようになるため、部数設定を行う上での操作上の自由度が高まり、操作が一層行いやすくなる。
【００２４】
＜請求項１０の発明＞
請求項１０の構成によれば、液晶パネル等の文字表示可能な特別な表示装置を用いることなく、ユーザが再印刷部数を把握及び指定できることとなるため、コスト高騰を招くことなく再印刷を行う上での有用な機能を実現できる構成となる。また、操作キーの押下回数によって再印刷の部数指定が行われるようになっているため、ユーザは部数のカウントアップを自身の押下操作によって確実に確認できるため、部数指定のミスが起こりにくくなる。
【発明を実施するための最良の形態】
【００２５】
＜実施形態１＞
図１ないし図６を参照し、本発明の実施形態１について説明する。図１は、実施形態１に係るプリンタの外観を示す斜視図であり、図２は、プリンタの内部構成を示す側断面図である。図３は、プリンタの操作パネル部分を示す拡大図であり、図４は、プリンタのハードウエア構成を示すブロック図である。また、図５は、プリンタの印刷処理に関する状態遷移図である。図６は、ＬＥＤの発光態様について説明する説明図である。
【００２６】
１．プリンタの全体構成
画像形成装置に相当するプリンタ３０は、図１および図２に示すように、筐体３１を有しており、この筐体３１の下部には、積層された用紙が収納され、取手３２ａを備える給紙カセット３２が装着される。給紙カセット３２は着脱可能とされ、プリンタ３０の前面方向（図２の矢印Ｐの方向）に引き出すことによりこれを取り外すことができる。給紙カセット３２には、押圧ばね（図示せず）により上方向に付勢された用紙押圧板（図示せず）が設けられ、その用紙押圧板の上に積層された最上層の用紙が、プリンタ３０の本体に設けられ矢印で示す方向に回転する給紙ローラ３３に接触するように構成されており、分離パッド３４の作用により用紙が１枚ずつ分離されて給送される。
【００２７】
図１に示すように、プリンタ３０の上面には操作パネル３５が設けられている。この操作パネル３５は、図３に示すように、１つの操作ボタン２０および４つのＬＥＤ２１ａ〜２１ｄだけが配されており、液晶表示部などは備えていない。これらのＬＥＤ２１は、本発明の「表示ランプ」に相当し、本来的には上記通常モードの各機能の実行時に発光動作をするものである。より具体的には、トナー（Toner）ＬＥＤ２１ａは第１表示ランプに相当し、トナー切れエラー時に発光する。ドラム（Drum）ＬＥＤ２１ｂは第２表示ランプに相当し、感光体ドラム３５の劣化エラー時に発光する。また、ペーパー（Paper）ＬＥＤ２１ｃは第３表示ランプに相当し、紙なしエラー時や紙詰まりエラー時に発光する。レディー（Ready）ＬＥＤ２１ｄは印刷動作（画像形成動作）準備完了時に発光する。なお、本実施形態では、図３で、一番上の２のＬＥＤ２１ａ，２１ｂが黄色に発光し、次の１つのＬＥＤ２１ｃが赤色に発光し、一番下のＬＥＤ２１ｄが緑色に発光する。また、プリンタ３０の前面には、手差し用紙を差し込むための挿入口３６（図２参照）が設けられている。
【００２８】
図２に示すように、給紙カセット３２の上方には、ドラムユニット３７が配置される。ドラムユニット３７も給紙カセット３２と同様、着脱可能とされ、トナー交換等のメンテナンスに際して矢印Ｑ方向に引き抜かれる。ドラムユニット３７は、トナー像を転写する感光体ドラム３８、感光体ドラム３８が担持するトナー像を用紙に転写する転写ローラ３９およびコロナ放電を発生させて感光体ドラム３８の表面を正電位に帯電させるスコロトロン型の帯電器４０を備える感光体カートリッジ３７Ａと、トナーを収容する現像剤室４１、感光体ドラム３８にトナーを供給する現像ローラ４２および現像ローラ４２にトナーを供給する供給ローラ４３を備える現像カートリッジ３７Ｂとからなる。現像剤室４１には、トナーを攪拌するためのアジテータ４１ａが設けられている。
【００２９】
感光体カートリッジ３７Ａと現像カートリッジ３７Ｂとは互いに分離可能とされているが、ドラムユニット３７をプリンタ３０の本体から取り外す際には両者は一体の状態で引き出される。給紙カセットが脱着される側を前面側として、プリンタ３０の前面部には、回動軸４４ａにその下端が回動可能に取り付けられた前面カバー４４が設けられている。前面カバー４４は、プリンタ３０の前面側を覆うように構成されており、前面カバー４４を図２において時計回りに回動させてプリンタ３０の正面を開放することにより、ドラムユニット３７を着脱することができる。なお、図２に示すように、ドラムユニット３７と給紙カセット３２との間にはピンチローラ４５及びレジストローラ４６がそれぞれ回転可能に取り付けられている。
【００３０】
ドラムユニット３７の後方には、レーザビームを射出するレーザ発生器（図示ぜす）、回転駆動されるポリゴンミラー４７（６面体ミラー）、レンズ４８、反射ミラー４９、反射ミラー５０、レンズ５１および反射ミラー５２等を備えるレーザスキャナユニット５３が取り付けられている。図２に示すように、ポリゴンミラー４７によって振られたレーザビームＬは、レンズ４８、反射ミラー４９，５０、レンズ５１および反射ミラー５２を介して感光体ドラム３８に照射され、感光体ドラム３８の表面に静電潜像が形成される。
【００３１】
ドラムユニット３７の後方には、用紙上にトナーを定着させるための定着ユニット５４が設けられている。定着ユニット５４は転写された用紙上のトナーを加熱溶融させるための加熱ローラ５５と、加熱ローラ５５に対向して配置され、給送される用紙を加熱ローラ５５に向けて押圧する押圧ローラ５６と、一対の搬送ローラ５７，５８とを備える。
【００３２】
図２において搬送ローラ５７，５８の後方には、湾曲した形状に形成され、必要に応じて用紙の向きを反転させるためのシュータ５９が回動可能に取り付けられている。シュータ５９を後方に回動させた場合、用紙は排紙トレイ６０に排出されずに、シュータ５９上に排紙されることとなる。これにより、用紙搬送や排紙を直線的に行うことができ、特に、手差し用紙が厚紙等の場合にこのように利用すると有効である。また、シュータ５９の延長線上には、シュータ５９に沿って搬送された用紙を支持するとともに、その用紙を筐体３１の上面に形成された排紙トレイ６０に排出するための一対の排紙ローラ６１，６２が取り付けられている。
【００３３】
２．電気的構成
次に、本プリンタ３０の電気的構成について説明する。
まず、図４には、プリンタ３０のハードウエア構成を示すブロック図が示されている。同図に示すように、プリンタ３０は、上記操作パネル３５の操作ボタン２０での押下操作を受け付ける操作部７０と、被記録媒体としての用紙（用紙以外にＯＨＰシートなどであってもよい）への印刷を制御する印刷部７１と、ＲＯＭ７２と、ＲＡＭ７３と、ＣＰＵ７４と、ネットワークインターフェイス７５とを備えて構成されている。印刷部７１は、上述のドラムユニット３７、レーザスキャナユニット５３、定着ユニット５４によって構成される、印刷機能を有する部分であり、ＣＰＵ７４は、例えばＬＡＮに連なる通信端末（図示せず）からネットワークインターフェイス７５を介して受信したＰＤＬデータについてプリンタ言語処理（ＰＤＬ処理）を行って印刷部７１に送る。そして、印刷部７１は、送れてきたデータを元に上記印刷対象のデータに応じた情報を用紙に印刷する印刷動作を実行する。
【００３４】
また、ＲＯＭ７２には、各種プログラムが記憶されており、ＲＯＭ７２に記憶される所定プログラムにより、プリンタ３０は、図５に示す状態遷移図（後述）の通りに駆動される。また、ＲＯＭ７２に記憶される所定プログラム（即ち、プリンタ３０を状態遷移図の通りに動かすプログラム）に従い、ＣＰＵ７４が、特許請求の範囲でいう再印刷モード設定手段、点滅動作手段、部数設定手段、再印刷実行手段、キャンセル手段、再印刷方式設定手段、カウント手段として機能することとなる。
【００３５】
更に、本実施形態では、上記操作パネル３５（図３）の４つのＬＥＤ２１（図３）に発光動作をさせるＬＥＤ駆動部７６を備える。ここで、ＣＰＵ７４は、制御信号をＬＥＤ駆動部７６に与えてＬＥＤ２１ａ〜２１ｄを発光動作させることで、当該ＬＥＤ２１ａ〜２１ｄを表示ランプとして機能させる。
【００３６】
次に、プリンタ内の処理の流れについて図５及び図６を参照しつつ説明する。
まず、処理の特徴を説明すると、本実施形態に係るプリンタ３０（図１等）では、予め定められた再印刷条件が成立した場合に、被記録媒体の再印刷が可能となる再印刷モードに設定されるようになっている。そして、このように再印刷モードに設定された状態で、操作ボタン２０（図３）が一定期間以上長押しされた場合、ＬＥＤ２１ａ〜２１ｄ（図３）を、その長押し期間に応じた回数点滅させる。そして、再印刷する部数が、その長押し期間に基づいて設定され、その設定された部数の再印刷が上述の印刷部７１（図４）にて行われることとなる。
【００３７】
図５に示すように、プリンタ３０は、電源投入された直後は、Ｓ１０の待機状態となる。外部からデータを受信せず、かつ印刷済みデータも存在しない場合にはこの待機状態（即ち、印刷データを有さない待機状態）で維持される。この待機状態の際に図示しないホスト装置（コンピュータ等）からデータを受信すると、Ｓ２０に示す未印刷データを有する待機状態となる。Ｓ２０の待機状態において印刷準備が完了すると、印刷が開始されＳ３０に示す印刷中状態となる。そして、Ｓ３０において印刷が完了するとＳ４０に遷移して印刷済みデータを有する待機状態となる。なお、Ｓ１０〜Ｓ４０の各々においてエラーが発生した場合には、Ｓ５０に遷移してエラー状態となる。エラーが回復した場合には、Ｓ５０からＳ１０に遷移することとなる。また、Ｓ１０に遷移したもののプリンタ３０内部に印刷済みデータが存在すると判断される場合には、Ｓ４０の待機状態（印刷済みデータを有する待機状態）に遷移するようになっている。
【００３８】
そして、Ｓ４０の印刷済みデータを有する待機状態において、操作ボタン２０（Ｇｏボタン）が押下されると、Ｓ８０の状態に移り、操作ボタン２０の押下時間がカウントされる。本実施形態では、操作ボタン２０の一定時間（３秒間）の押下が再印刷条件とされており、再印刷用の印刷データ（即ち印刷済みデータ）が記憶手段に記憶されている待機状態Ｓ４０において、操作ボタン２０に対しモード設定用の押下動作（３秒間の押下）がなされた場合にＳ９０のようにプリンタ３０を再印刷モードに設定する。なお、Ｓ８０の状態において３秒に満たない状態で押下が解除された場合には、再び状態Ｓ４０に戻ることとなる。
【００３９】
さらに、操作ボタン２０に対するモード設定用の押下動作と連続して操作ボタン２０が一定期間以上（ここでは２秒以上）長押しされた場合、Ｓ１００に遷移し、次いでＳ１１０の状態において、ＬＥＤ２１の点滅動作を開始し、そのモード設定用の押下動作と連続する長押し期間に基づいて再印刷する部数が設定されることとなる。
【００４０】
また、表示ランプたるＬＥＤは上述のように複数設けられており、再印刷モードに設定される際には、複数のＬＥＤ２１ａ〜２１ｄが、再印刷モードへの移行を示す特定の表示態様とされる。図５の例では、Ｓ９０に示すように全部のＬＥＤ２１ａ〜２１ｄが同時に点灯する態様となる。図６では、ＬＥＤの表示態様を示しており、Ｓ４０に対応する態様Ａ１の状態（印刷可能なレディ状態を示すＬＥＤ２１ｄのみが点灯している状態）から、態様Ａ２のように変化し、複数のＬＥＤ２１ａ〜２１ｄが同時に点灯して再印刷モードに移行したことが知らされる。
【００４１】
このように、複数の複数のＬＥＤ２１ａ〜２１ｄが、再印刷モードへの移行を示す特定の表示態様（全点灯：Ｓ９０、態様Ａ２参照）とされた後、さらに操作ボタン２０が一定期間以上長押しされた場合、態様Ａ３（状態１００）のように一旦全消灯した後、状態１１０、態様Ａ４のように、複数の表示ランプのうちのＬＥＤ２１ａ（第１表示ランプ）が、長押し期間に応じた回数点滅する。他方、ＬＥＤ２１ａ以外の他のＬＥＤ２１ａ〜２１ｂは消滅する。
【００４２】
また、状態Ｓ１１０において部数のカウントが続き、再印刷される設定部数が９部数を超えた場合、状態Ｓ１２０に遷移し、ＬＥＤ２１ａとは異なるＬＥＤ２１ｂを点灯させる（図６の態様Ａ５参照）。また、ＬＥＤ２１ｂが点灯し、さらに、再印刷される設定部数が９部数を超えて加算された場合、状態Ｓ１３０に遷移し、ＬＥＤ２１ａ及びＬＥＤ２１ｂとは異なるＬＥＤ２１ｃを点灯させる（図６の態様Ａ６参照）。同様に、ＬＥＤ２１ｃが点灯し、さらに、再印刷される設定部数が９部数を超えて加算された場合、状態Ｓ１４０に遷移し、ＬＥＤ２１ｄを点灯させることとなる（図６の態様Ａ７参照）。さらに、再印刷される設定部数が９部数を超えて加算された場合には、Ｓ１５０に遷移し、ＬＥＤの点滅が停止してカウントアップが停止する。
【００４３】
なお、操作ボタン２０が押し続けられている限りは、状態がＳ１１０からＳ１２０、Ｓ１３０、Ｓ１４０、Ｓ１５０と遷移することとなるが、Ｓ１１０〜Ｓ１５０いずれかの状態で押下が解除された場合、状態Ｓ１６０に遷移し、その解除されるまでのカウントに応じた再印刷部数をセットする。そして、Ｓ２０に遷移し、印刷準備が完了次第Ｓ１３０にて印刷がなされることとなる。
【００４４】
なお、操作ボタン２０の長押し操作が解除されたＳ１６０の後、Ｓ２０の状態において、さらに操作ボタン２０に対し所定のキャンセル用操作が行われた場合に、再印刷がキャンセルされるように構成されている。図５では、Ｓ２０において操作ボタン２０が押下されるとＳ６０に遷移して押下時間がカウントされる。そして、３秒以上カウントされるとＳ７０に遷移して印刷データが削除されることとなる。Ｓ６０において３秒に満たない状態で押下が解除された場合には再びＳ２０に遷移することとなる。
【００４５】
なお、本実施形態では図示はしていないが、再印刷部数が設定される状態Ｓ１６０の後に、操作ボタン２０に対し所定の切替操作が行われた場合、再印刷の方式を、ソート方式及びスタック方式のうちの切替操作に対応した方式に設定できるように構成することができる。この場合、例えば、Ｓ１６０とＳ２０の間に切替操作を行うための状態を設け、切替操作が行われた場合にＳ２０に遷移するように構成すればよい。
【００４６】
＜実施形態２＞
次に、図７ないし図９を参照して実施形態２について説明する。図７は、実施形態２におけるプリンタ内の処理に関する状態遷移図であり、図８は、施形態２におけるＬＥＤの発光態様について説明する説明図である。図９は、図８に続く図である。
本実施形態では、再印刷モードに設定された状態において、操作ボタン２０の押下回数をカウントし、カウントされた押下回数に基づき、再印刷する部数を設定するようにしている。図７において、Ｓ１０〜Ｓ８０は実施形態１の図５と同様であり、Ｓ２００〜Ｓ２４０の状態が図５と異なっている。
実施形態１と同様に、Ｓ４０の待機状態では、図８の態様Ｂ１のように、印刷可能なレディ状態を示すＬＥＤ２１ｄのみが点灯されている。Ｓ４０において操作ボタン２０が押下され、さらにＳ８０において操作ボタン２０が３秒以上押下され続けると、Ｓ２００において再印刷モードに設定され、図８の態様Ｂ２のようにＬＥＤ２１ａ〜２１ｄが同時に全点灯する。
【００４７】
次いで、Ｓ２１０にて再印刷部数がカウントアップされ、Ｓ２２０にて再印刷部数に応じたＬＥＤを点灯する。本実施形態では、再印刷部数に応じたＬＥＤの点灯として、再印刷部数が１０部未満では態様Ｂ３のように点灯を行わず、再印刷部数が１０部以上になるとＬＥＤ２１ｂが点灯し（後述する態様Ｂ１３）、再印刷部数が２０部以上になると、後述する態様Ｂ１８のようにＬＥＤ２１ｃが点灯するようになっている。そして、Ｓ２２０に次いでＳ２３０の状態となり再印刷が実行される（態様Ｂ４参照：図８）。印刷中に操作ボタン２０が押下された場合には、Ｓ２４０に進み、態様Ｂ５のようにＬＥＤ２１ａを点灯させた後、操作ボタン２０の解除を待つ。解除された場合には、Ｓ２１０に遷移し、図８の態様Ｂ６のように、再印刷部数に応じたＬＥＤを消灯する。Ｓ２３０に示す操作ボタン２０印刷中の押下とＳ２４０に示す解除とを繰り返すと、態様７、８、９、１０のように点灯と消灯とが交互に繰り返される。
【００４８】
また、態様Ｂ１１は、残部数が９部である場合のＳ２２０での態様、態様Ｂ１２は、その後操作ボタン２０が押下された場合でのＳ２４０での点灯を示しており、この場合には、Ｓ２１０でのカウントアップによって残部数が１０となるから、その後のＳ２２０では、態様Ｂ１３のように残部数が１０〜１９であることを示すＬＥＤ２１ｂが点灯する。残部数１０〜１９部であると、Ｓ２２０においてはＢ１３のようにＬＥＤ２１ｂが点灯し、Ｓ２４０では、態様Ｂ１４のようにＬＥＤ２１ａ、２１ｂが共に点灯する。なお、態様Ｂ１５、Ｂ１６等で、ＬＥＤ２１ｂ〜２１ｄにそれぞれ対応させて、１０、２０、３０の数字を付してあるが、これらは各ＬＥＤがどの残部数に対応しているのかを補足的に説明する数字である。即ち、ＬＥＤ２１ｂが残部数１０〜１９、ＬＥＤ２１ｃが残部数２０〜２９、ＬＥＤ２１ｄが残部数３０〜３９にそれぞれ対応していることを補足的に説明している。
【００４９】
また、態様Ｂ１６は、残部数が１９部である場合のＳ２２０での態様、態様Ｂ１７は、その後操作ボタン２０が押下された場合のＳ２４０での点灯を示しており、この場合には、続くＳ２１０でのカウントアップによって残部数が２０となるから、その後のＳ２２０では、態様Ｂ１８のように残部数が２０〜２９部であることを示すＬＥＤ２１ｃが点灯する。このように、Ｓ２３０で押下される場合には、Ｓ２３０、Ｓ２４０、Ｓ２１０、Ｓ２２０、Ｓ２３０の流れをとり、押下されない場合には、残部数がある限りはＳ２３０とＳ２２０との両状態の遷移を繰り返す。また、印刷が終了して残部数がない場合には、Ｓ４０に遷移する。また、エラーが発生した場合には、図示しないエラー状態に遷移する。
【００５０】
上記の構成では、印刷部数を増やす操作の際に、操作ボタン２０の押下と対応してＬＥＤ２１ａが点灯することとなるため、作業者が押下回数を数えやすく、部数の設定間違いが生じにくくなる。
【００５１】
＜実施形態３＞
次に、図１０を参照して実施形態３について説明する。図１０は、実施形態３におけるプリンタ内の処理に関する状態遷移図である。なお、図１０において、Ｓ１０〜Ｓ８０は実施形態１、２と同様であり、Ｓ３００〜Ｓ３４０の処理が実施形態１、２と異なっている。また、Ｓ３００ないしＳ３４０の各状態は実施形態２のＳ２００〜Ｓ２４０と同様であり、状態遷移の条件のみが異なっている。
【００５２】
本実施形態では、実施形態２と同様に、再印刷モードに設定された状態で、操作ボタン２０が所定の短時間押下された場合にカウントアップするように、操作ボタン２０の押下回数をカウント可能とされている。それと共に、長押し（ここでは５００ｍｓｅｃ以上の押下）によってもカウントアップするようにしている。そして、押し期間及びカウント手段によってカウントされた押下回数の少なくともいずれかに基づいて、再印刷する部数を設定するようにしている。。
即ち、実施形態２では、状態Ｓ２００からＳ２１０に遷移する条件は、操作ボタンの解除のみであったが、実施形態３における状態Ｓ３００からＳ３１０に遷移する条件は、操作ボタン２０の解除又は５００ｍｓｅｃ以上の長押しのいずれかとされている。同様に、実施形態２では、状態Ｓ２４０からＳ２１０に遷移する条件は、操作ボタン２０の解除のみであったが、実施形態３における状態Ｓ３４０からＳ３１０に遷移する条件は、操作ボタン２０の解除又は５００ｍｓｅｃ以上の長押しのいずれかとされている。このように、操作ボタン２０の押下、解除の繰り返しだけでなく、操作ボタン２０の長押しによっても再印刷部数を増加させる操作を行うことができるようになっている。
【００５３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、部数設定に用いる表示ランプとして複数のＬＥＤを用いたが、単一の表示ランプでも実現できる。
（２）部数設定に用いる操作キーは、上述のように単一の操作キーであってもよく、複数の操作キーによって構成されていてもよい。
【図面の簡単な説明】
【００５４】
【図１】本発明の実施形態１に係るプリンタの外観を示す斜視図
【図２】プリンタの内部構成を示す側断面図
【図３】プリンタの操作パネル部分を示す拡大図
【図４】プリンタのハードウエア構成を示すブロック図
【図５】実施形態１におけるプリンタ内の処理に関する状態遷移図
【図６】実施形態１におけるＬＥＤの発光態様について説明する説明図
【図７】実施形態２におけるプリンタ内の処理に関する状態遷移図
【図８】実施形態２におけるＬＥＤの発光態様について説明する説明図
【図９】図９に続く図
【図１０】実施形態３におけるプリンタ内の処理に関する状態遷移図
【符号の説明】
【００５５】
２０…操作ボタン（操作キー）
２１ａ…ＬＥＤ（表示ランプ、第１表示ランプ）
２１ｂ…ＬＥＤ（表示ランプ、第２表示ランプ）
２１ｃ…ＬＥＤ（表示ランプ、第３表示ランプ）
２１ｄ…ＬＥＤ（表示ランプ）
３０…プリンタ（画像形成装置）
７１…印刷部
７４…ＣＰＵ（再印刷モード設定手段、点滅動作手段、部数設定手段、再印刷実行手段、キャンセル手段、再印刷方式設定手段、カウント手段）
【図１】
2006035649.tif 000003
【図２】
2006035649.tif 000004
【図３】
2006035649.tif 000005
【図４】
2006035649.tif 000006
【図５】
2006035649.tif 000007
【図６】
2006035649.tif 000008
【図７】
2006035649.tif 000009
【図８】
2006035649.tif 000010
【図９】
2006035649.tif 000011
【図１０】
2006035649.tif 000012